(57)【要約】【課題】人に不快感を与えることのない点滅式防虫照明装置および防虫方法を提供する。【解決手段】虫に対する忌避効果のある点滅光Ｆを防虫対象領域Ａに対して照射する防虫照明装置１０であって、防虫対象領域Ａから見た正面視で所定の間隔をおいて近接して配置され、それぞれ防虫対象領域Ａに向けて所定の周波数で点滅光Ｆを照射する複数の光源１８と、複数の光源１８を所定の組み合わせで順次点滅させることにより、複数の光源１８全体として人の目に連続的な光として認識させるように光源１８を制御する光源制御手段２０とを備えるようにする。【選択図】図１
2019213459.tif 000002
【特許請求の範囲】
【請求項１】
虫に対する忌避効果のある点滅光を防虫対象領域に対して照射する防虫照明装置であって、
防虫対象領域から見た正面視で所定の間隔をおいて近接して配置され、それぞれ防虫対象領域に向けて所定の周波数で点滅光を照射する複数の光源と、
複数の光源を所定の組み合わせで順次点滅させることにより、複数の光源全体として人の目に連続的な光として認識させるように光源を制御する光源制御手段とを備えることを特徴とする点滅式防虫照明装置。
【請求項２】
複数の光源は、２０Ｈｚ以上の周波数で点滅光を照射するものであることを特徴とする請求項１に記載の点滅式防虫照明装置。
【請求項３】
複数の光源は正面視で格子点状に配置され、光源制御手段は、隣り合う光源を交互に点滅させることにより、隣り合う光源全体として人の目に連続的な光として認識させるように光源を制御することを特徴とする請求項１または２に記載の点滅式防虫照明装置。
【請求項４】
光源制御手段は、一の組み合わせの光源が消灯してから他の組み合わせの光源が次に点灯するまでの時間間隔がゼロまたは２０Ｈｚ以上の時間間隔で順次点滅させることを特徴とする請求項１〜３のいずれか一つに記載の点滅式防虫照明装置。
【請求項５】
虫に対する忌避効果のある点滅光を防虫対象領域に対して照射することにより防虫対象領域を防虫する方法であって、
防虫対象領域から見た正面視で所定の間隔をおいて近接して配置され、それぞれ防虫対象領域に向けて所定の周波数で点滅光を照射する複数の光源を、所定の組み合わせで順次点滅させることにより、複数の光源全体として人の目に連続的な光として認識させるようにしたことを特徴とする防虫方法。
【発明の詳細な説明】
【技術分野】
【０００１】
本発明は、点滅照明によって虫を忌避する点滅式防虫照明装置および防虫方法に関するものである。
【背景技術】
【０００２】
従来、夜蛾類等の害虫が圃場、牧場等に侵入することを点滅照明により阻止するようにした照明装置が知られている（例えば、特許文献１を参照）。特許文献１の装置は、点滅照明を行う光源と、農作物などが存在する防虫領域の外側を向くように光源を支持する光源支持部とを備えており、防虫領域への夜蛾類等の害虫の侵入等を点滅照明により抑制するようにしたものである。この装置では、防虫効果を高めるため、夜蛾類が識別できる程度の周波数（０．２Ｈｚ以上２０Ｈｚ以下）で点滅する点滅照明を用いることが推奨されている。
【先行技術文献】
【特許文献】
【０００３】
【特許文献１】特開２０１６−１５４４８１号公報
【発明の概要】
【発明が解決しようとする課題】
【０００４】
しかしながら、０．２Ｈｚ以上２０Ｈｚ以下という点滅照明の周波数は、人の目に入るとチカチカして不快感を感じる周波数であるため、圃場などのような一般の人が立ち入らない場所でしか使用されていなかった。このため、人の目に入っても不快感を与えることなく点滅照明による防虫効果を発揮でき、一般の人が立ち入る場所にも適用することのできる技術が求められていた。
【０００５】
本発明は、上記に鑑みてなされたものであって、人に不快感を与えることのない点滅式防虫照明装置および防虫方法を提供することを目的とする。
【課題を解決するための手段】
【０００６】
上記した課題を解決し、目的を達成するために、本発明に係る点滅式防虫照明装置は、虫に対する忌避効果のある点滅光を防虫対象領域に対して照射する防虫照明装置であって、防虫対象領域から見た正面視で所定の間隔をおいて近接して配置され、それぞれ防虫対象領域に向けて所定の周波数で点滅光を照射する複数の光源と、複数の光源を所定の組み合わせで順次点滅させることにより、複数の光源全体として人の目に連続的な光として認識させるように光源を制御する光源制御手段とを備えることを特徴とする。
【０００７】
また、本発明に係る他の点滅式防虫照明装置は、上述した発明において、複数の光源は、２０Ｈｚ以上の周波数で点滅光を照射するものであることを特徴とする。
【０００８】
また、本発明に係る他の点滅式防虫照明装置は、上述した発明において、複数の光源は正面視で格子点状に配置され、光源制御手段は、隣り合う光源を交互に点滅させることにより、隣り合う光源全体として人の目に連続的な光として認識させるように光源を制御することを特徴とする。
【０００９】
また、本発明に係る他の点滅式防虫照明装置は、上述した発明において、光源制御手段は、一の組み合わせの光源が消灯してから他の組み合わせの光源が次に点灯するまでの時間間隔がゼロまたは２０Ｈｚ以上の時間間隔で順次点滅させることを特徴とする。
【００１０】
また、本発明に係る防虫方法は、虫に対する忌避効果のある点滅光を防虫対象領域に対して照射することにより防虫対象領域を防虫する方法であって、防虫対象領域から見た正面視で所定の間隔をおいて近接して配置され、それぞれ防虫対象領域に向けて所定の周波数で点滅光を照射する複数の光源を、所定の組み合わせで順次点滅させることにより、複数の光源全体として人の目に連続的な光として認識させるようにしたことを特徴とする。
【発明の効果】
【００１１】
本発明に係る点滅式防虫照明装置によれば、虫に対する忌避効果のある点滅光を防虫対象領域に対して照射する防虫照明装置であって、防虫対象領域から見た正面視で所定の間隔をおいて近接して配置され、それぞれ防虫対象領域に向けて所定の周波数で点滅光を照射する複数の光源と、複数の光源を所定の組み合わせで順次点滅させることにより、複数の光源全体として人の目に連続的な光として認識させるように光源を制御する光源制御手段とを備えるので、光源からの光が目に入っても人に不快感を与えることなく、防虫効果を発揮することができるという効果を奏する。
【００１２】
また、本発明に係る他の点滅式防虫照明装置によれば、複数の光源は、２０Ｈｚ以上の周波数で点滅光を照射するものであるので、個々の光源からは人に不快感を感じさせるおそれがある２０Ｈｚ未満の周波数の点滅光が照射されても、光源全体としては人の目に連続的な光として認識させることができるという効果を奏する。
【００１３】
また、本発明に係る他の点滅式防虫照明装置によれば、複数の光源は正面視で格子点状に配置され、光源制御手段は、隣り合う光源を交互に点滅させることにより、隣り合う光源全体として人の目に連続的な光として認識させるように光源を制御するので、格子点状に配置された光源からの照明を用いて、人に不快感を与えることなく、防虫効果を発揮することができるという効果を奏する。
【００１４】
また、本発明に係る他の点滅式防虫照明装置によれば、光源制御手段は、一の組み合わせの光源が消灯してから他の組み合わせの光源が次に点灯するまでの時間間隔がゼロまたは２０Ｈｚ以上の時間間隔で順次点滅させるので、消灯してから次に点灯するまでの時間間隔は人に不快感を感じさせないほど短い。このため、人に不快感を感じさせることなく、優れた防虫効果を発揮することができるという効果を奏する。
【００１５】
また、本発明に係る防虫方法によれば、虫に対する忌避効果のある点滅光を防虫対象領域に対して照射することにより防虫対象領域を防虫する方法であって、防虫対象領域から見た正面視で所定の間隔をおいて近接して配置され、それぞれ防虫対象領域に向けて所定の周波数で点滅光を照射する複数の光源を、所定の組み合わせで順次点滅させることにより、複数の光源全体として人の目に連続的な光として認識させるようにしたので、光源からの光が目に入っても人に不快感を与えることなく、防虫効果を発揮することができるという効果を奏する。
【図面の簡単な説明】
【００１６】
【図１】図１は、本発明に係る点滅式防虫照明装置および防虫方法の実施の形態を示す図である。
【図２】図２は、本実施の形態の点滅パターンの説明図であり、（１）はパターン１、（２）はパターン２、（３）はパターン３である。
【発明を実施するための形態】
【００１７】
以下に、本発明に係る点滅式防虫照明装置および防虫方法の実施の形態を図面に基づいて詳細に説明する。なお、この実施の形態によりこの発明が限定されるものではない。
【００１８】
（点滅式防虫照明装置）
まず、本発明に係る点滅式防虫照明装置の実施の形態について説明する。
【００１９】
図１に示すように、本実施の形態に係る点滅式防虫照明装置１０は、虫に対する忌避効果のある点滅光Ｆを防虫対象領域Ａに対して照射する装置である。この点滅式防虫照明装置１０は、支柱１２の上方から斜め上方に張り出したアーム１４の先端に設けられた光源支持部１６と、この光源支持部１６に支持された複数の光源１８と、支柱１２の下部に設けられた光源制御部２０（光源制御手段）とを備える。
【００２０】
光源支持部１６は、上側部分が保護カバーで覆われた基板からなる。基板は光源支持部１６の下面に設けられており、この基板には複数の光源１８が配置されている。図２（１）に示すように、複数の光源１８は正面視（下面視）で格子点状に近接配置されている。各光源１８は、図１に示すように、それぞれ下方の防虫対象領域Ａに向けて所定の周波数で点滅光Ｆを照射可能である。
【００２１】
各光源１８は、ＬＥＤ素子（発光ダイオード素子）で構成されている。このため、省電力で長時間の点滅光の照射が可能である。また、交換の手間を極力省くことができるとともに、少ない電力消費量で効果的に虫を忌避することができる。さらに、複数のＬＥＤ素子を基板に配置してＬＥＤ基板として光源に用いることで、製造および組立を容易に行える。ＬＥＤ基板にＬＥＤ素子をまとめて配設することで、配線および電源供給を容易にし、かつ、外観を好ましくすることができる。
【００２２】
光源制御部２０は、各光源１８の発光状態を変化させるためのものであり、各光源１８に対して有線または無線方式の図示しない入出力線を介して接続されている。この光源制御部２０は、各光源１８の発光状態を設定するための操作部と、操作部に入力された信号を各光源１８へ出力するための回路部とを備えている。
【００２３】
操作部には、各光源１８の点滅周期（または周波数）、点灯時間、消灯時間を制御するための操作スイッチが設けられている。操作部で各光源１８の点滅周期（または周波数）、点灯時間、消灯時間を設定すると、設定した値に対応する信号が生成され、この信号は回路部を経由して各光源１８に出力され、各光源１８の発光状態（点滅状態）を制御する。
【００２４】
上記構成の動作および作用を説明する。
防虫対象領域Ａに存在する夜蛾類等の虫や侵入しようとする虫に対して忌避効果を発揮するように点滅光Ｆを複数の光源１８から出射する。具体的には、所定の発光強度を有する光の点灯と消灯とを所定の点滅周期で繰り返すように各光源１８から出射する。点滅光Ｆにより虫を混乱させて光源１８への誘引を阻止することができる。ここで、光源制御部２０は、所定の組み合わせで各光源１８を順次点滅させることにより、複数の光源１８全体として人の目に連続的な光として認識させるように光源１８を制御する。このようにすれば、光源１８からの光が目に入っても人に不快感を与えることなく、点滅光Ｆによる忌避効果を発揮することができる。
【００２５】
各光源１８の点滅の周波数は、２０Ｈｚ以上であることが好ましい。この範囲よりも点滅の周波数が小さい場合、つまり点滅周期が長い場合には人に不快感を感じさせるおそれがあるため好ましくない。
【００２６】
光源１８の発光強度については、防虫対象の虫の種類や虫までの距離などに応じて、忌避効果を発揮できるような値に適宜設定することが可能である。また、光源１８の発光波長については、走光性を示す防虫対象の虫の種類に応じて適宜設定することが可能である。
【００２７】
なお、２０Ｈｚ未満の周波数の点滅光は、一般に人に不快感を感じさせるおそれがある光であるが、光源１８全体としては人の目に連続的な光として認識されるので、人に不快感を感じさせる光ではない。したがって、光源１８から出射した点滅光Ｆによって、人に不快感を感じさせることなく、防虫対象領域Ａに居る夜蛾類等の虫や、侵入しようとする虫を混乱させて光源１８への誘引を阻止することができる。
【００２８】
また、複数の光源１８として、所定の周波数（例えば７０Ｈｚ）で点滅する光源を交互に配置し、点滅の間隔が交互となるように光源を制御してもよい。このようにすれば、どちらかの光源が点灯していることになるので人間の目には連続点灯しているように見えるが、虫は点滅光により定位が混乱させられ、光源に誘引されることがなくなる。
【００２９】
点滅の間隔は、交互に配置した光源のうち例えば一方の光源が消えてから他方の光源が次に点灯するまでの時間をゼロにすれば、人間の目には連続的な光として認識されるが、人間が感知できない２０Ｈｚより短い間隔をおいてから次に点灯させてもよい。このようにすれば、人に不快感を生じさせることなく、虫に対する忌避効果を高めることができる。
【００３０】
このように、複数の光源１８のうち任意に設定した一の組み合わせの光源１８が消灯してから、他の組み合わせの光源１８が次に点灯するまでの時間間隔がゼロまたは２０Ｈｚ以上の時間間隔となるように順次点滅させれば、消灯してから次に点灯するまでの時間間隔は人に不快感を感じさせないほど短い。このため、人に不快感を感じさせることなく優れた防虫効果を発揮することができる。
【００３１】
（実施例）
次に、本発明の実施例について図２を参照しながら説明する。図２は、光源制御部２０による点滅パターンの一例を示したものである。なお、図で示したものは一例に過ぎず、人に不快感を感じさせない点滅光の組み合わせを限定するものではない。
【００３２】
図２（１）のパターン１は、１のＯＮ状態、２のＯＦＦ状態、３のＯＮ状態をこの順番で繰り返すものである。隣り合う光源１８は、２のＯＦＦ状態（全部消灯）を挟んで交互に点滅する。例えば点滅開始時点（０秒）で１（ＯＮ状態）、所定の時間経過した時点（例えば０．０７秒後）で２（ＯＦＦ状態）、さらに所定の時間経過した時点（例えば０．１４秒後）で３（ＯＮ状態）、・・・という具合に各光源１８の点灯状態を切り替える。この場合、点滅周期は０．２１秒（点灯時間０．０７秒、消灯時間０．１４秒）となる。このようにすれば、光源全体として人の目に連続的な光として認識させることができる。したがって、人に不快感を与えることなく、防虫効果を発揮することができる。
【００３３】
図２（２）のパターン２は、隣り合う光源１８を交互に点滅させ、１〜３の状態を繰り返すものである。例えば点滅開始時点（０秒）で１の状態、所定の時間経過した時点（例えば０．０７秒後）で２の状態、さらに所定の時間経過した時点（例えば０．１４秒後）で３の状態（１と同じ状態）、・・・という具合に各光源１８の点灯状態を切り替える。この場合、点滅周期は０．１４秒（点灯時間０．０７秒、消灯時間０．０７秒）となる。このようにすれば、光源全体として人の目に連続的な光として認識させることができる。したがって、人に不快感を与えることなく、防虫効果を発揮することができる。
【００３４】
図２（３）のパターン３は、全ての光源１８を同時に点滅させ、１〜３の状態を繰り返すものである。例えば点滅開始時点（０秒）で１のＯＮ状態（全部点灯）、所定の時間経過した時点（例えば０．０７秒後）で２の状態（全部消灯）、さらに所定の時間経過した時点（例えば０．１４秒後）で３のＯＮ状態（全部点灯）、・・・という具合に各光源１８の点灯状態を切り替える。この場合、点滅周期は０．１４秒（点灯時間０．０７秒、消灯時間０．０７秒）となる。このような点滅パターンでも、光源全体として人の目に連続的な光として認識させることができれば、人に不快感を与えることなく、防虫効果を発揮することができる。
【００３５】
上記の実施の形態で説明した光源１８の数、光源１８の配置位置、点滅パターンなどは一例であり、本発明はこの例に限定するものではなく、それぞれ任意に設定可能である。光源１８に用いるＬＥＤ素子は、光源支持部１６の基板に必ずしも格子点状に配置する必要はなく、任意の形状に配置することが可能である。また、光源１８はＬＥＤ素子に限定するものではなく、例えば蛍光ランプなどのその他の種類の光源を用いたり、複数種類の光源を組み合わせて用いてもよい。
【００３６】
上記の実施の形態においては、光源１８から出射する光が下向きになるように指向性を持たせているが、アーム１４と光源支持部１６との接続部を回動自在な関節構造としてもよい。このようにすれば、光源支持部１６の角度を調整することで、光源１８から出射する光の向きを変えることができる。
【００３７】
また、上記の実施の形態においては、防虫対象領域Ａを光源支持部１６の下側に設定した場合を例にとり説明したが、本発明はこれに限るものではなく、例えば光源支持部１６の上側、横側などに設定してもよい。防虫対象領域Ａを光源支持部１６の上側に設定する場合は、光源１８から出射する光が上向きになるように光源支持部１６の向きを設定し、防虫対象領域Ａを光源支持部１６の横側に設定する場合は、光源１８から出射する光が横向きになるように光源支持部１６の向きを設定すればよい。
【００３８】
また、上記の実施の形態において、光源支持部１５の基板の下面側をアクリルなどの透光性、耐候性のカバーで覆ってもよい。このカバーに、光源１８の光を拡散し得るような材質を用いたり、または、光を拡散させるような形状のものを用いてもよい。
【００３９】
また、上記の実施の形態において、各光源１８を点滅制御する際に、完全な消灯状態を作り出さなくてもよい。光源１８の発光輝度を周期的に増減させて、あたかも点滅しているかのように制御してもよい。このようにしても、上記と同様の作用効果を奏することができる。
【００４０】
（防虫方法）
次に、本発明に係る防虫方法の実施の形態について説明する。
【００４１】
図１に示すように、本実施の形態に係る防虫方法は、虫に対する忌避効果のある点滅光Ｆを防虫対象領域Ａに対して照射することにより防虫対象領域Ａを防虫する方法である。防虫対象領域Ａに向けて所定の周波数で点滅光Ｆを照射する複数の光源１８を、所定の組み合わせで順次点滅させることにより、複数の光源１８全体として人の目に連続的な光として認識させる。本実施の形態によれば、上記の点滅式防虫照明装置１０と同様の作用効果を得ることができる。すなわち、光源１８からの光が目に入っても人に不快感を与えることなく、防虫効果を発揮することができる。
【００４２】
以上説明したように、本発明に係る点滅式防虫照明装置によれば、虫に対する忌避効果のある点滅光を防虫対象領域に対して照射する防虫照明装置であって、防虫対象領域から見た正面視で所定の間隔をおいて近接して配置され、それぞれ防虫対象領域に向けて所定の周波数で点滅光を照射する複数の光源と、複数の光源を所定の組み合わせで順次点滅させることにより、複数の光源全体として人の目に連続的な光として認識させるように光源を制御する光源制御手段とを備えるので、光源からの光が目に入っても人に不快感を与えることなく、防虫効果を発揮することができる。
【００４３】
また、本発明に係る他の点滅式防虫照明装置によれば、複数の光源は、２０Ｈｚ以上の周波数で点滅光を照射するものであるので、個々の光源からは人に不快感を感じさせるおそれがある２０Ｈｚ未満の周波数の点滅光が照射されても、光源全体としては人の目に連続的な光として認識させることができる。
【００４４】
また、本発明に係る他の点滅式防虫照明装置によれば、複数の光源は正面視で格子点状に配置され、光源制御手段は、隣り合う光源を交互に点滅させることにより、隣り合う光源全体として人の目に連続的な光として認識させるように光源を制御するので、格子点状に配置された光源からの照明を用いて、人に不快感を与えることなく、防虫効果を発揮することができる。
【００４５】
また、本発明に係る他の点滅式防虫照明装置によれば、光源制御手段は、一の組み合わせの光源が消灯してから他の組み合わせの光源が次に点灯するまでの時間間隔がゼロまたは２０Ｈｚ以上の時間間隔で順次点滅させるので、消灯してから次に点灯するまでの時間間隔は人に不快感を感じさせないほど短い。このため、人に不快感を感じさせることなく、優れた防虫効果を発揮することができる。
【００４６】
また、本発明に係る防虫方法によれば、虫に対する忌避効果のある点滅光を防虫対象領域に対して照射することにより防虫対象領域を防虫する方法であって、防虫対象領域から見た正面視で所定の間隔をおいて近接して配置され、それぞれ防虫対象領域に向けて所定の周波数で点滅光を照射する複数の光源を、所定の組み合わせで順次点滅させることにより、複数の光源全体として人の目に連続的な光として認識させるようにしたので、光源からの光が目に入っても人に不快感を与えることなく、防虫効果を発揮することができる。
【産業上の利用可能性】
【００４７】
以上のように、本発明に係る点滅式防虫照明装置および防虫方法は、点滅照明によって虫を忌避するのに有用であり、特に、点滅照明が人の目に入っても不快感を与えることなく防虫効果を発揮するのに適している。
【符号の説明】
【００４８】
１０  点滅式防虫照明装置
１２  支柱
１４  アーム
１６  光源支持部
１８  光源
２０  光源制御部（光源制御手段）
Ａ  防虫対象領域
Ｆ  点滅光
【図１】
2019213459.tif 000003
【図２】
2019213459.tif 000004